(57)【要約】【課題】最新の番組表を印刷すること。【解決手段】受信した放送信号から得た番組情報を印刷情報として印刷する際に、印刷装置に要求した番組情報を保持しておく番組情報保持部と前記番組情報保持部が保持している番組情報に対して番組情報が更新されたか否かを調べる番組情報更新監視部と印刷装置での印刷が正常に完了したかを監視する印刷状態監視部を有した構成とすることにより、番組情報の更新と印刷装置の状態を知って、不要な番組情報の印刷を取りやめることが可能となり、印刷可能な時点での最新の番組情報を印刷することがユーザの手間をかけずに可能とすることができる。【選択図】図２
2008236121.tif 000002
【特許請求の範囲】
【請求項１】
放送信号を受信する放送受信部と、
前記放送受信部により受信した放送信号から番組情報を抽出する番組情報抽出部と、
前記番組情報抽出部から得た番組情報を印刷情報に変換し、印刷装置に対して印刷情報を印刷要求する印刷指示部と、
前記印刷装置に送信した印刷情報に関する番組情報を保持しておく番組情報保持部と、
前記番組情報保持部が保持している番組情報に対して前記番組情報抽出部から得た番組情報が更新されたか否かを調べる番組情報更新監視部と、
前記印刷装置での印刷が完了したか否かを監視する印刷状態監視部とを備え、
前記印刷装置での印刷が完了前に前記番組情報更新監視部が番組情報の更新を検知した場合に、
前記印刷指示部は、
前記印刷装置に対して、印刷要求の破棄を要求するとともに、
放送中の番組情報に関する印刷情報を印刷要求することを特徴とする印刷制御装置。
【発明の詳細な説明】
【技術分野】
【０００１】
本発明は、受信した番組情報を印刷する印刷制御装置に関する。
【背景技術】
【０００２】
従来より、テレビジョン放送において、映像や音声とともに放送予定の番組情報が放送されている。
【０００３】
放送予定の番組情報は、特別番組の放送や番組内容の変更が発生して放送予定が変更された場合、逐次最新の放送予定の番組情報に更新され放送されている。放送予定の番組情報は受信機にて電子番組表として画面に一覧表示され、現在放送中の番組内容を確認するために使用し、または、今後放送予定の番組を調べるために使用されている。
【０００４】
また、電子番組表は画面で表示するだけでなく、一覧視認性を向上や持ち運び可能にするために、紙に印刷して利用することもできる。電子番組表を印刷して利用する方法として、ＥＰＧ画素データをファクシミリ符号化し、加入者回路を制御しつつ、モデム回路から、接続されているファクシミリに対して、ファクシミリデータを伝送することにより、電子番組表を印刷する方法が提案されている（例えば、特許文献１に記載。）。
【０００５】
ここで、番組情報を印刷するにあたって、印刷装置が常に印刷可能な状態であることが保障されているわけではなく、印刷用紙切れなどの場合や用紙つまりなどの印刷エラーが発生した場合や印刷装置の電源が切れている場合には印刷することができない。
【０００６】
そこで、ネットワークを介して印刷するにあたって、印刷できなかったときに自動的に復帰させる方法が提案されている（例えば、特許文献２に記載。）。
【特許文献１】特開２００１−３０９１８７号公報
【特許文献２】特開２００６−３１６７７号公報
【発明の開示】
【発明が解決しようとする課題】
【０００７】
しかし、上記の手法においては、印刷エラーが起こった場合に自動的に印刷途中のページから印刷を再開することはできるが、印刷を再開したあとに印刷される内容は印刷開始した時点の内容である。したがって、印刷エラーが発生し、印刷が中止している間に放送予定が変わって放送予定の番組情報が更新されていたとしても、印刷を指示した時点での放送予定の番組情報が印刷されることとなり、更新前の古い内容の電子番組表が印刷されてしまう。
【０００８】
電子番組表の情報は、更新前の放送予定の番組情報に意味はなく、常に最新の内容で印刷されることが望ましい。しかし、それを実現するには、ユーザが自ら更新前の古い印刷データを何らかの方法で消去して、再度印刷の指示をすることにより、最新の番組情報の印刷を始めなければならなかった。
【０００９】
本発明は、上記の事情を鑑みてなされたものであり、放送予定の番組情報が更新された後に、すでに古くなった更新前の放送予定の番組情報が印刷されることを防止する印刷制御装置を提供することを目的とする。
【課題を解決するための手段】
【００１０】
上記課題を解決するために本発明の印刷制御装置は受信した放送信号から得た番組情報を印刷情報として印刷する際に印刷装置に要求した印刷情報に関する番組情報を保持しておく番組情報保持部と前記番組情報保持部が保持している印刷情報に対して番組情報が更新されたか否かを調べる番組情報更新監視部と印刷装置での印刷が正常に完了したかを監視する印刷状態監視部を有した構成とする。
【００１１】
本構成によって、番組情報の更新と印刷装置の状態を知って、不要な印刷を取りやめ、最新の番組情報を印刷することが可能となる。
【発明の効果】
【００１２】
本発明の印刷制御装置によれば、何らかの原因で印刷が完了せず印刷待機状態になっている間に番組情報が更新されても、すでに古くなった更新前の放送予定の番組情報が印刷されることを防止することができる。
【発明を実施するための最良の形態】
【００１３】
以下、本発明を実施するための最良の形態について、図面を参照しながら説明する。
【００１４】
（実施の形態１）
図１は本発明の一実施形態におけるシステムの構成を示すブロック図である。
【００１５】
図１において、印刷制御装置１は放送受信機能を有しており、放送波を受信し番組情報データを取得する。印刷制御装置１は無線または有線を介して放送波を受信し、番組情報データを取得できる構成であれば特に限定されるものではなく、例えばテレビジョン受信機、セットトップボックスもしくはＰＣ等が想定される。
【００１６】
また、印刷制御装置１は前記番組情報データをネットワーク３で接続された印刷装置２に印刷情報を送る。印刷装置２はプリンタやコピー機等であり、印刷装置１から送られた印刷情報を印刷する。
【００１７】
なお、図１においてネットワーク３に変わって、パラレルポート接続など印刷制御装置と印刷装置を１対１で接続する形態であってもよい。
【００１８】
図２は本発明の一実施形態における印刷制御装置１の詳細な構成を示すブロック図である。
【００１９】
放送受信部１１は、アンテナを介して受信されたテレビジョン放送信号から、ユーザが選択したチャンネルのテレビジョン放送信号を選局し、番組情報抽出部１２へ出力する。
【００２０】
番組情報抽出部１２は、放送受信部１１から出力された放送信号の中の映像情報、音声情報とともに放送されている番組情報を抽出する。
【００２１】
印刷指示部１５は、番組情報抽出部１２が抽出した番組情報を、印刷装置が印刷可能とする形式に変換して印刷情報とする。また、ユーザＩ／Ｆ（図示なし）からの印刷指示があった場合には、ネットワークＩＦ部１７を通じて、印刷装置に対して印刷要求をし、印刷情報を送信する。また、印刷指示部１５は、ネットワークＩＦ部１７を介して、印刷装置に対して印刷要求の破棄を要求する。
【００２２】
印刷状態監視部１６は、ネットワークＩＦ部１７を介して印刷装置が印刷完了したかどうかを監視する。
【００２３】
番組情報保持部１３は印刷指示部１５が印刷指示を行った際の番組情報を保持する。
【００２４】
番組情報更新監視部１４は、番組情報抽出部１２より出力される番組情報と番組情報保持部１３が保持している番組情報を比較することによって番組情報の更新の有無を検出する。
【００２５】
図３は本発明の一実施形態の動作を示すフローチャートである。
【００２６】
番組情報抽出部１２から得た現在放送中の番組情報を印刷指示部１５がネットワークＩＦ部１７を介して印刷装置に対して印刷要求を行い、番組情報保持部１３が番組情報を記憶した時点で印刷開始となる。
【００２７】
まず、番組情報抽出部１２が現在放送中の番組情報を取得する（ステップＳ１）。
【００２８】
次に、番組情報更新監視部１４が、放送受信部１１および番組情報抽出部１２が取得した番組情報と番組情報保持部１３が保持している番組情報を比較する（ステップＳ２）。
【００２９】
番組情報更新監視部１４が比較した結果、番組情報が更新されていると（ステップＳ３のＹ）、現在、印刷中または印刷エラーや電源オフなどの原因により待機中の印刷をキャンセルし（ステップＳ４）、続けて、番組情報抽出部１２から得た現在放送中の番組情報を印刷指示部１５が受信し、ネットワークＩＦ部１７を介して印刷装置に対して印刷要求をし、印刷情報を送信する（ステップＳ５）。
【００３０】
そして、印刷状態監視部１６が印刷完了したか否かを調べ（ステップＳ６）、印刷が完了していれば終了する（ステップＳ６のＹ）。一方、印刷がまだ完了していなければステップＳ１に戻る。
【００３１】
なお、ステップＳ３において、番組情報が更新されていなければ（ステップＳ３のＮ）、ステップＳ６を行う。
【００３２】
かかる構成によれば、受信した放送信号から得た番組情報を印刷情報として印刷する際に、印刷制御装置に印刷装置に対して要求した印刷情報に関する番組情報を保持しておく番組情報保持部と前記番組情報保持部が保持している印刷情報に対して番組情報が更新されたか否かを調べる番組情報更新監視部と印刷装置での印刷が正常に完了したかを監視する印刷状態監視部を有した構成とすることにより、番組情報の更新と印刷装置の状態を知って、すでに古くなった不要な番組情報の印刷を取りやめ、印刷可能になった時点での最新の番組情報を印刷することができる。
【００３３】
なお本実施の形態では、上記番組表の印刷開始の指示は、ユーザＩ／Ｆ（図示なし）からの印刷指示により印刷するとしたが、例えば毎朝６時など、定刻に自動的に印刷が開始されるような構成としてもよい。
【産業上の利用可能性】
【００３４】
本発明にかかる印刷制御装置は、印刷可能な時点での最新の番組情報を印刷することがユーザの手間をかけずに可能となるので、受信した番組情報を印刷する印刷制御装置として有用である。
【図面の簡単な説明】
【００３５】
【図１】本発明の一実施形態におけるシステムの構成を示すブロック図
【図２】図１に示す印刷制御装置の構成を示すブロック図
【図３】本発明の一実施形態の動作を示すフローチャート
【符号の説明】
【００３６】
１    印刷制御装置
２    印刷装置
３    ネットワーク
１１    放送受信部
１２    番組情報抽出部
１３    番組情報保持部
１４    番組情報更新監視部
１５    印刷指示部
１６    印刷状態監視部
１７    ネットワークＩＦ部
【図１】
2008236121.tif 000003
【図２】
2008236121.tif 000004
【図３】
2008236121.tif 000005